(57)【特許請求の範囲】
【請求項１】
基板モジュールに設けられた凹部を取り囲む縦壁に設けられたフック部と、前記基板モジュールを差し込み固定するケース本体の両肩部にケース本体の前後方向にわたって設けられた張出部とを備え、
前記基板モジュールの凹部に収納されたブザーをフック部で係止して固定すると共に、この基板モジュールをケース本体の張出部に差し込み固定することでケース本体にブザーを取り付けたことを特徴とする電子体温計のブザー取付構造。
【発明の詳細な説明】
【０００１】
【発明の属する技術分野】
本発明は、電子体温計のブザー取付構造に関する。
【０００２】
【従来の技術】
一般に、電子体温計の内部には圧電素子と振動板とで構成されるブザーが内蔵されており、ブザーが鳴ることで検温時間の終了を知らせるようにしている。この種のブザーは、圧電素子と振動板との電極間に振動電圧が加わると圧電素子が振動を起こし、圧電素子の下面に貼着された振動板を増幅発音させてブザー音を発する構造となっている。
【０００３】
従来、電子体温計に内蔵されるブザーの取付構造は次のようなものとなっていた。例えば、図５及び図６に示した第１の従来例では、多くの電子部品１を搭載した基板モジュール２の一端部に圧電素子４と振動板５とで構成されるブザー３の載置部６を設けておき、この載置部６の底面に振動板５の下面を接着剤７により固定したものである。
【０００４】
また、図７及び図８に示した第２の従来例は、上記基板モジュールを取り付けるための中枠８が別個に設けられた電子体温計の例であり、中枠８の一端部にブザー３を収納するための凹部９を設けておき、この凹部９に収納したブザー３の上方に押え板１０を被せ、この押え板１０で振動板５の周囲を押え込むと共に中枠８に嵌め込むことでブザー３を固定していた。
【０００５】
更に、図９及び図１０に示した第３の従来例は、ケース本体１１の裏蓋１２に接着剤７を介してブザー３の振動板５を接着固定したものである。
【０００６】
【発明が解決しようとする課題】
しかしながら、上記従来のブザー取付構造にあっては、第１の従来例および第３の従来例の場合、振動板５を固定するためには接着剤７の塗布工程が必要となり、また第２の従来例の場合、中枠８とは別に振動板５を固定するための押え板１０が必要となる上、これを中枠８に嵌め込むための作業工程が必要となっており、両者共に組立工数が掛かるといった問題があった。
【０００７】
そこで、本発明は、ブザーの振動板を固定するのに、上述のような接着工程や嵌め入れ工程、また押え板のような別部品を必要としない簡易な取付構造の提供を目的とするものである。
【０００８】
【課題を解決するための手段】
すなわち、上記課題を解決するために、本発明に係る電子体温計のブザー取付構造は、基板モジュールに設けられた凹部を取り囲む縦壁に設けられたフック部と、前記基板モジュールを差し込み固定するケース本体の両肩部にケース本体の前後方向にわたって設けられた張出部とを備え、前記基板モジュールの凹部に収納されたブザーをフック部で係止して固定すると共に、この基板モジュールをケース本体の張出部に差し込み固定することでケース本体にブザーを取り付けたことを特徴とする。本発明はこのようなブザー取付構造を採用したことにより、接着工程が不要となり、また押え板のような別部品を用いることなく簡易且つ確実にブザーの振動板を固定することができる。
【０００９】
【発明の実施の形態】
以下、添付図面に基づいて本発明に係る電子体温計のブザー取付構造の実施例を詳細に説明する。図１乃至図４は、本発明に係るブザー取付構造の一実施例を示したものである。この実施例に係るブザー２０は、丸形の圧電素子２１とその下面に貼着されたやや大きめの振動板２２とで構成される。基板モジュール２３の一端部にはブザー２０を収納するための凹部２４が設けられているが、この凹部２４は上記振動板２２と略同じ大きさである。凹部２４を取り囲む円周状の縦壁２５の内部にはこれと同心円状の内周壁２７および底壁２８によって構成された振動板２２の載置台２６が設けられている。前記内周壁２７は凹部２４の縦壁２５の高さよりやや低く、また底壁２８の中心部には放音孔２９が設けられている。
【００１０】
また、上記縦壁２５の上面には基板モジュール２３の前後側に一対のフック部３０，３１が設けられている。このフック部３０，３１は、上面から凹部２４側に爪状に突出して設けられ、上記凹部２４内に振動板２２を収納した時に振動板２２の周縁部に係止してブザー２０を仮止めするためのものである。仮止めする際には、図１及び図４に示したように、フック部３０又は３１を上方側に撓ませてから嵌め込む。これらのフック部３０，３１は、いずれも縦壁２５の円周に沿って湾曲して設けられているが、図示したように、前側のフック部３０と後側のフック部３１とでその長さ寸法が異なっている。
【００１１】
一方、図２に示したように、電子体温計のケース本体３５の内部には、上記基板モジュール２３の凹部２４を差し込み固定する水平方向の張出部３６，３７が設けられている。この張出部３６，３７は、ケース本体３５の両肩部に前後方向に長い略三角形状の板状部材として設けられており、基板モジュール２３を差し込んだ時に凹部２４の両側部に被さり、張出部３６，３７の下面が振動板２２の上面に当たって固定する。
【００１２】
次に、上記構成からなる基板モジュール２３のフック部３０，３１及びケース本体３５の張出部３６，３７によってブザー２０を固定する際の手順を説明する。先ず基板モジュール２３の凹部２４内にブザー２０を収納して仮止めする場合について説明する。図１に示したように、基板モジュール２３の前側から凹部２４内に振動板２２を斜めに挿入し、後側のフック部３１の下面にもぐり込ませる。次いで前側のフック部３０を上方側に撓ませ振動板２２全体を凹部２４内に嵌め入れる。ブザー２０は、載置台２６の上に位置決めされ、またフック部３０，３１が振動板２２の前後側の周縁部に係止することで仮止めされる。なお、この状態において、振動板２２の位置は凹部２４の縦壁２５の上面よりやや高くなっている。
【００１３】
次いで、図２に示したように、上記基板モジュール２３を凹部２４側からケース本体３５内に差し込む。このとき基板モジュール２３の凹部２４を張出部３６，３７の下面側にスライドさせることで、張出部３６，３７の下面に凹部２４の縦壁２５の上面が当たって基板モジュール２３がケース本体３５に固定されると同時に、振動板２２の両側周縁部も張出部３６，３７の下面に押さえ込まれて、ケース本体３５にしっかりと固定されることになる。
【００１４】
【発明の効果】
以上説明したように、本発明に係る電子体温計のブザー取付構造によれば、基板モジュール側に設けたフック部と、ケース本体側に設けた張出部とでブザーを固定したので、従来のように接着剤や別部品を用いなくても取り付けることができ、接着工程や部品数を削減することによって、電子体温計の組立作業を簡素化することができるといった効果を奏する。
【図面の簡単な説明】
【図１】基板モジュールのフック部にブザーを仮止めする時の斜視図である。
【図２】ケース本体の張出部にブザーを固定する時の斜視図である。
【図３】ケース本体の張出部にブザーを固定した状態の平面図である。
【図４】上記図３のＡ−Ａ線断面図である。
【図５】第１の従来例のブザー取付構造を示す基板モジュールの斜視図である。
【図６】上記図５のＢ−Ｂ線断面図である。
【図７】第２の従来例のブザー取付構造を示す中枠の斜視図である。
【図８】上記図７のＣ−Ｃ線断面図である。
【図９】第３の従来例のブザー取付構造を示す裏蓋の内側斜視図である。
【図１０】上記図９のＤ−Ｄ線断面図である。
【符号の説明】
２０  ブザー
２３  基板モジュール
２４  凹部
２５  縦壁
３０  フック部
３１  フック部
３５  ケース本体
３６  張出部
３７  張出部
【図１】
0003599871.tif 000002
【図２】
0003599871.tif 000003
【図３】
0003599871.tif 000004
【図４】
0003599871.tif 000005
【図５】
0003599871.tif 000006
【図６】
0003599871.tif 000007
【図７】
0003599871.tif 000008
【図８】
0003599871.tif 000009
【図９】
0003599871.tif 000010
【図１０】
0003599871.tif 000011